(57)【要約】【課題】  ラジエータコアサポートとファンシュラウドの部品精度の誤差等に関わらず、シュラウド部の開口端部とファンシュラウドのファンリング部をその略容易に密着した状態で固定できるラジエータコアサポート構造の提供。【解決手段】  樹脂製のラジエータコアサポート１にファンシュラウド２のシュラウド部３が一体的に形成されると共に、このシュラウド部３に設けられた環状の開口端部３ｂに、樹脂製のファンシュラウド２のファンリング部２ｃが本体部２ａと共に固定されるラジエータコアサポート１構造において、ファンリング部２ｃの外周から径方向外側へ突出する第１のリブをファンリング部２ｃの形成し、第１のリブ６とシュラウド部３の開口端部３ｂを重ね合わせて第１のリブ６を弾性変形させることにより、両者を密着させた状態で固定した。【選択図】      図１
2006274858.tif 000002
【特許請求の範囲】
【請求項１】
樹脂製のラジエータコアサポートにファンシュラウドのシュラウド部が一体的に形成されると共に、このシュラウド部に設けられた環状の開口端部に、樹脂製のファンシュラウドのファンリング部が本体部と共に固定されるラジエータコアサポート構造において、
前記ファンリング部の外周から径方向外側へ突出する第１のリブを形成し、
前記第１のリブとシュラウド部の開口端部を重ね合わせて該第１のリブまたは開口端部を弾性変形させることにより、両者を密着させた状態で固定したことを特徴とするラジエータコアサポート構造。
【請求項２】
請求項１記載のラジエータコアサポート構造において、
前記第１のリブをファンリング部の外周からシュラウド部の開口端部側へ向って傾斜状に突出するように設けると共に、この第１のリブとシュラウド部の開口端部を重ね合わせて該第１のリブを径方向外側へ拡径するように弾性変形させることにより、両者を密着させた状態で固定したことを特徴とするラジエータコアサポート構造。
【請求項３】
請求項１記載のラジエータコアサポート構造において、
前記シュラウド部の開口端部を第１のリブ側へ向って傾斜状に突出するように設けると共に、このシュラウド部の開口端部と第１のリブを重ね合わせて該シュラウド部の開口端部を径方向内側へ縮径するように弾性変形させることにより、両者を密着させた状態で固定したことを特徴とするラジエータコアサポート構造。
【請求項４】
請求項１〜３のうちいずれかに記載のラジエータコアサポート構造において、
前記第１のリブの周囲に沿ってシュラウド部の開口端部から該第１のリブ側へ突出する第２のリブを設けたことを特徴とするラジエータコアサポート構造。
【発明の詳細な説明】
【技術分野】
【０００１】
本発明は、ラジエータコアサポート構造に関する。
【背景技術】
【０００２】
従来、熱交換器のキャリアとしてのラジエータコアサポートには、熱交換器のコアを冷却するファンを収容するためのファンシュラウドが搭載されている。
また、ファンシュラウドは、ファンを支持するための本体部と、この本体部から複数のファンステー部を介して接続される円筒状のファンリング部と、ファンに風を集めるためのシュラウド部で構成され、通常、これらは、全て樹脂で一体的に形成されている（特許文献１、２参照）。
【０００３】
そして、近年、ラジエータコアサポートは樹脂による射出成形で一体的に形成され、これに伴ってラジエータコアサポートにファンシュラウドのシュラウド部が一体的に形成されると共に、このシュラウド部に設けられた開口端部に、ファンシュラウドのファンリング部が本体部と共に固定されるラジエータコアサポート構造の技術が公知になっている（特許文献３参照）。
【特許文献１】特開平１０−２８０９６０号公報
【特許文献２】特開２００２−１１４０２５号公報
【特許文献３】特開２００５−４７３７０号公報
【発明の開示】
【発明が解決しようとする課題】
【０００４】
しかしながら、従来のラジエータコアサポート構造にあっては、ラジエータコアサポートとファンシュラウドの部品精度の誤差等により、シュラウド部の開口端部とファンシュラウドのファンリング部を重ね合わせた際に両者の間に隙間が生じ易いという問題点があった。なお、両者の間に隙間が生じると、この隙間を介して風が通過して透過音が発生したり、振動の発生の要因になる。
【０００５】
そこで、シュラウド部の開口端部とシュラウド部のファンリング部を重ね合わせる際に、両者を強干渉させた状態にして固定することが考えられるが、両者は共に樹脂製であるため、過大な圧力を加えると亀裂・破損する虞があった。
【０００６】
本発明は上記課題を解決するためになされたものであって、その目的とするところは、ラジエータコアサポートとファンシュラウドの部品精度の誤差を許容できると同時に、シュラウド部の開口端部とファンシュラウドのファンリング部をその略容易に密着した状態で固定できるラジエータコアサポート構造を提供することである。
【課題を解決するための手段】
【０００７】
本発明の請求項１記載の発明では、樹脂製のラジエータコアサポートにファンシュラウドのシュラウド部が一体的に形成されると共に、このシュラウド部に設けられた環状の開口端部に、樹脂製のファンシュラウドのファンリング部が本体部と共に固定されるラジエータコアサポート構造において、前記ファンリング部の外周から径方向外側へ突出する第１のリブを形成し、前記第１のリブとシュラウド部の開口端部を重ね合わせて該第１のリブまたは開口端部を弾性変形させることにより、両者を密着させた状態で固定したことを特徴とする。
【０００８】
請求項２載の発明では、請求項１記載のラジエータコアサポート構造において、前記第１のリブをファンリング部の外周からシュラウド部の開口端部側へ向って傾斜状に突出するように設けると共に、この第１のリブとシュラウド部の開口端部を重ね合わせて該第１のリブを径方向外側へ拡径するように弾性変形させることにより、両者を密着させた状態で固定したことを特徴とする。
【０００９】
請求項３載の発明では、請求項１記載のラジエータコアサポート構造において、前記シュラウド部の開口端部を第１のリブ側へ向って傾斜状に突出するように設けると共に、このシュラウド部の開口端部と第１のリブを重ね合わせて該シュラウド部の開口端部を径方向内側へ縮径するように弾性変形させることにより、両者を密着させた状態で固定したことを特徴とする。
【００１０】
請求項４記載の発明では、請求項１〜３のうちいずれかに記載のラジエータコアサポート構造において、前記第１のリブの周囲に沿ってシュラウド部の開口端部から該第１のリブ側へ突出する第２のリブを設けたことを特徴とする。
【発明の効果】
【００１１】
本発明の請求項１記載の発明にあっては、樹脂製のラジエータコアサポートにファンシュラウドのシュラウド部が一体的に形成されると共に、このシュラウド部に設けられた環状の開口端部に、樹脂製のファンシュラウドのファンリング部が本体部と共に固定されるラジエータコアサポート構造において、前記ファンリング部の外周から径方向外側へ突出する第１のリブを形成し、前記第１のリブとシュラウド部の開口端部を重ね合わせて該第１のリブまたは開口端部を弾性変形させることにより、両者を密着させた状態で固定したため、ラジエータコアサポートとファンシュラウドの部品精度の誤差を第１のリブまたは開口端部の弾性変形により許容できると同時に、シュラウド部の開口端部とファンシュラウドのファンリング部をその略容易に密着した状態で固定できる。
【００１２】
請求項２記載の発明にあっては、第１のリブをファンリング部の外周からシュラウド部の開口端部側へ向って傾斜状に突出するように設けると共に、この第１のリブとシュラウド部の開口端部を重ね合わせて該第１のリブを径方向外側へ拡径するように弾性変形させることにより、両者を密着させた状態で固定したため、第１のリブの拡径するような弾性変形によってラジエータコアサポートとファンシュラウドの部品精度の誤差を許容できると同時に、シュラウド部の開口端部とファンシュラウドのファンリング部をその略容易に密着した状態で固定できる。
【００１３】
請求項３記載の発明にあっては、シュラウド部の開口端部を第１のリブ側へ向って傾斜状に突出するように設けると共に、このシュラウド部の開口端部と第１のリブを重ね合わせて該シュラウド部の開口端部を径方向内側へ縮径するように弾性変形させることにより、両者を密着させた状態で固定したため、開口端部の縮径するような弾性変形によってラジエータコアサポートとファンシュラウドの部品精度の誤差を許容できると同時に、シュラウド部の開口端部とファンシュラウドのファンリング部を容易に密着した状態で固定できる。
【００１４】
請求項４記載の発明にあっては、第１のリブの周囲に沿ってシュラウド部の開口端部から該第１のリブ側へ突出する第２のリブを設けたため、該開口端部周辺の剛性を高くすることができると同時に、シュラウド部の開口端部とファンシュラウドのファンリング部に流入しようとする風を遮断できる。
【発明を実施するための最良の形態】
【００１５】
以下、この発明の実施例を図面に基づいて説明する。
【実施例１】
【００１６】
以下、実施例１を説明する。
図１は本発明の実施例１のラジエータコアサポート構造を示す全体背面図、図２は本実施例１のラジエータコアサポートの背面図、図３は本実施例１のファンシュラウドの背面図、図４は図３のＳ４−Ｓ４線における端面図、図５は本実施例１のファンの背面図、図６は本実施例１のラジエータコアサポートとファンシュラウドの組付けを説明する図である。なお、図中左右対称の部材については同一の符号を付す。
【００１７】
先ず、全体構成を説明する。
図１に示すように、本実施例１のラジエータコアサポート構造は、ラジエータコアサポート１と、ファンシュラウド２が備えられている。
【００１８】
図２に示すように、ラジエータコアサポート１は、車幅方向に延設されたラジエータコアサポートアッパ１ａと、このラジエータコアサポートアッパ１ａと並行するラジエータコアサポートロア１ｂと、これらラジエータコアサポートアッパ１ａとラジエータコアサポートロア１ｂの両端部同士を結合するラジエータコアサポートサイド1c,1cと、これらラジエータコアサポートアッパ１ａ、ラジエータコアサポートロア１ｂ、ラジエータコアサポートサイド1c,1cの内側に設けられたシュラウド部３から構成され、全体が樹脂で一体的に形成されている。
なお、ラジエータコアサポート２の全体の一部を金属製にして樹脂モールドさせても良い。
【００１９】
また、シュラウド部３の左右両側には、開口部3a,3aが形成されると共に、各開口部３ａの開口端部３ｂは平坦なフランジ状に形成されている（図６（ｂ）参照）。
また、開口部３ａの上部には後方側に突出した第２のリブ４が形成され、これによって開口部３ａの上部周辺の必要剛性が確保されている。
なお、本実施例１では第２のリブ４を開口部３ａの上部に設けているが、開口部３ａの全周に亘って設けても良い。
【００２０】
また、シュラウド部３の左右上部には、前後方向に開口した固定穴３ｃが２箇所形成され、一方、下部には、上方に開口した袋状の挿入受け部３ｄが４箇所形成されている。
【００２１】
図３に示すように、ファンシュラウド２は、後述するファン５を左右にそれぞれ搭載可能な所謂２連ファン用のファンシュラウドであって、全体が樹脂で一体的に形成される他、ファン５を支持する略円筒状の本体部2a,2aと、各本体部2a,2aから複数のファンステー部２ｂを介して接続された略円筒状のファンリング部２ｃが備えられている。
【００２２】
また、各本体部2a,2aのファンリング部２ｃ同士は、連結部２ｄで連結される他、シュラウド部３の固定穴３ｃと対応する位置に、固定穴２ｅを備える固定部２ｆが設けられ、さらに、シュラウド部３の挿入受け部３ｄと対応する位置に下方に突出した挿入ピン２ｇが形成されている。
【００２３】
また、図４に示すように、ファンリング部２ｃは、後方側に開口したコ字状断面に形成されると共に、その外周の中途部から径方向外側へ向って傾斜状に突出し、且つ、シュラウド部３の開口端部３ｂの内径よりも幾分大きい外径の第１のリブ６が形成されている。
また、本実施例１の第１のリブ６は先端６ａに行くにつれて細くなるように形成され、これによって、第１のリブ６は、前後方向に弾性変形し易くなっている。
【００２４】
図５に示すように、ファン５は、略円筒状の外周部５ａと略円筒状の回転基部５ｂとが複数の羽根５ｃで連結された所謂リングファンであり、全体が樹脂で一体的に形成されている。
また、図４に示すように、各ファン５の回転基部５ｂにはモータＭが連結される他、これらファン５及びモータＭは３箇所のボルトＢ１（図１参照）でファンシュラウド２の本体部２ａに固定されている。
なお、ファン５はリングファンに限らず、一般的なファン形状でも良い。
【００２５】
次に、作用を説明する。
このように構成されたラジエータコアサポート１とファンシュラウド２を組付ける際には、予め左右の本体部２ａにそれぞれファン５を搭載したファンシュラウド２をラジエータコアサポート１の後方に配置した後、ファンシュラウド２の搭載ピン２ｇを斜め上方からシュラウド部３の挿入受け部３ｄに挿入する。
【００２６】
次に、ファンシュラウド２をラジエータコアサポート１側に搭載ピン２ｇを中心として回動させて起立した状態にする。
この際、ファンシュラウド２の搭載ピン２ｇがシュラウド部３の挿入受け部３ｄに十分に挿入されていない場合には、ファンシュラウド２の第１のリブ６と第２のリブ４が当接して搭載ピン２ｇの挿入深さが不十分であると判明するため、この第２のリブ４は第１のリブ６の位置決め部、換言すると、ファンシュラウド２の位置決め部として機能する。
【００２７】
また、ファンシュラウド２が何らの原因により上下方向に大きく変位した場合には、第２のリブ４が第１のリブ６とが当接してファンシュラウド２の上下方向の変位を規制する規制部材として機能する。
【００２８】
次に、図６（ａ）、（ｂ）に示すように、ファンシュラウド２の上部をラジエータコアサポート１側へ押圧すると共に、第１のリブ６とシュラウド部３の開口端部３ｂを重ね合わせることにより、第１のリブ６を径方向外側へ拡径するように弾性変形させて両者を密着した状態にする。
【００２９】
最後に、シュラウド部３の固定穴３ｃとファンシュラウド２の固定穴２ｅに図示を省略するボルトを挿入してナットで締結することにより、ラジエータコアサポート１とファンシュラウド２の組付けを終了する。
【００３０】
ここで、従来の発明にあっては、ラジエータコアサポートとファンシュラウドの部品精度の誤差等により、シュラウド部の開口端部とファンシュラウドのファンリング部の間に隙間が生じていると、この隙間を介して風が通過して透過音が発生したり、振動の発生の要因となるという問題点があった。
【００３１】
そこで、シュラウド部の開口端部とシュラウド部のファンリング部を重ね合わせる際に、両者を強干渉させた状態にして固定することが考えられるが、両者は共に樹脂製であるため、過大な圧力を掛けると亀裂・破損する虞があった。
【００３２】
しかしながら、本実施例１のラジエータコアサポート構造では、前述したように、第１のリブ６の外周における外径がシュラウド部３の開口端部３ｂの内径よりも幾分大きく形成されていることに加え、シュラウド部３の開口端部３ｂと重ね合わせる際に、径方向外側へ拡径するように弾性変形するため、ラジエータコアサポート１とファンシュラウド２との部品精度の誤差を許容できると同時に、第１のリブ６とシュラウド部３の開口端部３ｂの亀裂・破損を招くことなく両者を密着した状態にすることができる。
【００３３】
また、本実施例１では、シュラウド部３の固定穴３ｃとファンシュラウド２の固定穴２ｅが図示を省略するボルトとナットで締結されるため、この締結箇所に近いシュラウド部３の開口端部３ｂまたはシュラウドリング部２ｃが最も亀裂・破損し易い。
【００３４】
しかしながら、前述したように、開口部３ａの上部には後方側に突出した第２のリブ４が形成されるため、開口部３ａの上部周辺の必要剛性を確保して亀裂・破損を防止できる。
【００３５】
ファン５及びファンシュラウド２が搭載されたラジエータコアサポート１は、図示を省略する熱交換器やその他の周辺部材が搭載された状態で車両に搭載される。
【００３６】
そして、ファン５による強制風または車両走行風は、シュラウド部３によって各ファンリング部２ｃの内側を流通する。
【００３７】
この際、前述したように、第１のリブ６とシュラウド部３の開口端部３ｂとは密着した状態となっているため、両者の間に風が侵入する虞がなく、透過音や振動が発生するのを防止できる。
【００３８】
また、第２のリブ４は、第１のリブ６の周囲に沿ってシュラウド部３の開口端部３ｂから該第１のリブ６側へ突出した状態となるため、シュラウド部３内からファンリング部２ｃの内側に向って第１のリブ６とシュラウド部３の開口端部３ｂとの間に侵入しようとする風を遮断できる。
【００３９】
なお、本実施例１では第２のリブ４を開口端部３ｂの上部内側にのみ設けたが、開口端部３ｂの周囲にできるだけ長く形成することにより、前述した風の遮断の効果をより多く得られる。
【００４０】
次に、効果を説明する。
以上、説明したように、本実施例１のラジエータコアサポート構造にあっては、樹脂製のラジエータコアサポート１にファンシュラウド２のシュラウド部３が一体的に形成されると共に、このシュラウド部３に設けられた環状の開口端部３ｂに、樹脂製のファンシュラウド２のファンリング部２ｃが本体部２ａと共に固定されるラジエータコアサポート１構造において、第１のリブ６をファンリング部２ｃの外周からシュラウド部３の開口端部３ｂ側へ向って傾斜状に突出するように設けると共に、この第１のリブ６とシュラウド部３の開口端部３ｂを重ね合わせて第１のリブ６を径方向外側へ拡径するように弾性変形させることにより、両者を密着させた状態で固定したため、第１のリブ６の径方向外側へ拡径するような弾性変形によってラジエータコアサポート１とファンシュラウド２の部品精度の誤差を許容できると同時に、シュラウド部３の開口端部３ｂとファンシュラウド２のファンリング部２ｃを容易に密着した状態で固定できる。
【００４１】
また、第１のリブ６の周囲に沿ってシュラウド部３の開口端部３ｂから第１のリブ６側へ突出する第２のリブ４を設けたため、開口端部３ｂ周辺の剛性を高くすることができると同時に、シュラウド部３の開口端部３ｂとファンシュラウド２のファンリング部２ｃに流入しようとする風を遮断できる。
【実施例２】
【００４２】
以下、実施例２を説明する。
なお、本実施例２のラジエータコアサポート構造では、実施例１で説明したファンシュラウドのファンリング部とシュラウド部の開口端部の形状を変更したこと以外は同様であるため、実施例１と同一構成部材については同一の符号を付してその説明は省略し、相違点のみ説明する。
【００４３】
図７は本発明の実施例２のラジータコアサポート構造における要部拡大断面図であり作用を説明する図である。
【００４４】
図７（ａ）に示すように、本実施例２のラジータコアサポート構造では、第１のリブ２０が、ファンリング部２ｃの外周の中途部から径方向外側へ垂直に突出するように設けられ、一方、シュラウド部３の開口端部２１が第１のリブ２０側へ向って傾斜状に突出するように設けられている。
また、本実施例２の開口端部２１は先端２１ａに行くにつれて細くなるように形成され、これによって、開口端部２１は、前後方向に弾性変形し易くなっている。
【００４５】
従って、図７（ａ）、（ｂ）に示すように、ラジエータコアサポート１とファンシュラウド２を組付ける際に、シュラウド部３の開口端部２１と第１のリブ２０を重ね合わせてシュラウド部３の開口端部２１を径方向内側へ縮径するように弾性変形させることにより、両者を密着させた状態で固定でき、これによって、ラジエータコアサポート１とファンシュラウド２との部品精度の誤差を許容できると同時に、過大な力を必要とすることなく両者を容易に密着させた状態にすることができる。
【００４６】
以上、説明したように、本実施例２のラジエータコアサポート構造にあっては、樹脂製のラジエータコアサポート１にファンシュラウド２のシュラウド部３が一体的に形成されると共に、このシュラウド部３に設けられた環状の開口端部２１に、樹脂製のファンシュラウド２のファンリング部２ｃが本体部２ａと共に固定されるラジエータコアサポート１構造において、シュラウド部３の開口端部２１を第１のリブ２０側へ向って傾斜状に突出するように設けると共に、このシュラウド部３の開口端部２１と第１のリブ２０を重ね合わせてシュラウド部３の開口端部２１を径方向内側へ縮径するように弾性変形させることにより、両者を密着させた状態で固定したため、シュラウド部３の開口端部２１の径方向内側へ縮径するように弾性変形によってラジエータコアサポート１とファンシュラウド２の部品精度の誤差を許容できると同時に、シュラウド部３の開口端部２１とファンシュラウド２のファンリング部２ｃを容易に密着した状態で固定できる。
【００４７】
以上、本実施例を説明してきたが、本発明は上述の実施例に限られるものではなく、本発明の要旨を逸脱しない範囲の設計変更等があっても、本発明に含まれる。
例えば、本実施例１では、第１のリブ６の全体を拡径するように弾性変形させたが、図８に示すように、第１のリブ６の先端部３０のみを後方側へ傾斜状に突出するように設けて弾性変形させても良い。また、図９に示すように、リブ５の先端部３０を前方側へ傾斜状に突出するように設けて弾性変形させても良い。
【００４８】
同様に、本実施例２では、開口端部２１の全体を縮径するように弾性変形させたが、図１０に示すように、開口端部２１の中途部４０のみを後方側へ傾斜状に突出するように設けて弾性変形させても良い。
【００４９】
即ち、第１のリブと開口端部は、両者が重ねられた際に第１のリブまたは開口端部が弾性変形して密着できる形状であれば良く、この目的に応じて行われる両者の詳細な形状の設計変更は本発明の範疇となる。
【００５０】
また、本実施例では２連ファン用のファンシュラウドについて説明したが、ファン５の設置数は適宜決定でき、このファン５の設置数に応じて行われるラジエータコアサポート１とファンシュラウド２の詳細な形状の設計変更は本発明の範疇となる。
【図面の簡単な説明】
【００５１】
【図１】本発明の実施例１のラジエータコアサポート構造を示す全体背面図である。
【図２】本実施例１のラジエータコアサポートの背面図である。
【図３】本実施例１のファンシュラウドの背面図である。
【図４】図３のＳ４−Ｓ４線における端面図である。
【図５】本実施例１のファンの背面図である。
【図６】本実施例１のラジエータコアサポートとファンシュラウドの組付けを説明する図である。
【図７】本発明の実施例２のラジータコアサポート構造における要部拡大断面図であり作用を説明する図である。
【図８】その他の実施例のラジータコアサポート構造における要部拡大断面図であり作用を説明する図である。
【図９】その他の実施例のラジータコアサポート構造における要部拡大断面図であり作用を説明する図である。
【図１０】その他の実施例のラジータコアサポート構造における要部拡大断面図であり作用を説明する図である。
【符号の説明】
【００５２】
Ｂ１  ボルト
Ｍ  モータ
１  ラジエータコアサポート
１ａ  ラジエータコアサポートアッパ
１ｂ  ラジエータコアサポートロア
１ｃ  ラジエータコアサポートサイド
２  ファンシュラウド
２ａ  本体部
２ｂ  ファンステー部
２ｃ  ファンリング部
２ｄ  連結部
２ｅ  固定穴
２ｆ  固定部
２ｇ  搭載ピン
３  シュラウド部
３ａ  開口部
３ｂ、２１  開口端部
３ｃ  固定穴
３ｄ  挿入受け部
４  第２のリブ
５  ファン
５ａ  リング部
５ｂ  回転基部
５ｃ  羽根
６、２０  第１のリブ
６ａ、２１ａ  先端
３０、４０  先端部
【図１】
2006274858.tif 000003
【図２】
2006274858.tif 000004
【図３】
2006274858.tif 000005
【図４】
2006274858.tif 000006
【図５】
2006274858.tif 000007
【図６】
2006274858.tif 000008
【図７】
2006274858.tif 000009
【図８】
2006274858.tif 000010
【図９】
2006274858.tif 000011
【図１０】
2006274858.tif 000012